(57)【要約】【課題】硬貨の取り出しが容易となる一方、確実に硬貨を保持できるコインホルダを提供する。【解決手段】樹脂の射出成型によって一体的に形成されて、硬貨を保持可能なコインホルダ１であって、硬貨５０を収容する為の収容空間１２を内部に有し、樹脂によって弾性変形となっている外装部１０を設け、この外装部１０の一部には、収容空間１２と連続して硬貨５０を出し入れするための挿入用スリット２０を形成するようにした。【選択図】図２
0003168821.tif 000002
【実用新案登録請求の範囲】
【請求項１】
樹脂の射出成型によって一体的に形成されて、硬貨を保持可能なコインホルダであって、
前記硬貨を収容する為の収容空間を内部に有し、前記樹脂によって弾性変形となっている外装部と、
前記外装部の一部に形成されて前記収容空間と連続し、弾性変形させながら前記硬貨を出し入れするための挿入用スリットと、
を備えることを特徴とするコインホルダ。
【請求項２】
前記挿入用スリットの近傍に、前記収容空間に収容される前記硬貨に対して、取り出し方向に係合する段部が形成されることを特徴とする
請求項１に記載のコインホルダ。
【請求項３】
前記段部は、前記挿入用スリットの長手方向に沿って形成されることを特徴とする、
請求項２に記載のコインホルダ。
【請求項４】
前記段部は、前記収容空間内に収容される前記硬貨の周縁形状に近似する部分円弧形状に延びることを特徴とする、
請求項３に記載のコインホルダ。
【請求項５】
前記挿入用スリットの最小間隔が、前記硬貨の厚みと比較して小さいことを特徴とする、
請求項１乃至４のいずれかに記載のコインホルダ。
【請求項６】
前記樹脂が、蓄光材料を含有する軟質樹脂であることを特徴とする、
請求項１乃至５のいずれかに記載のコインホルダ。
【考案の詳細な説明】
【技術分野】
【０００１】
本考案は、１００円や５００円等の硬貨を収容し、キーホルダーやストラップとして持参可能なコインホルダに関する。
【背景技術】
【０００２】
外出時において、財布を忘れてしまったり、財布を盗難されたりして、金銭を所持していない状況に陥る場合がある。このような緊急時に備えて、予め、通勤電車の定期券ホルダや鞄などのように、財布とは別の場所に緊急用の金銭を所持する人も存在する。
【０００３】
従来、キーホルダーや携帯ストラップに対して、硬貨を保持する機能を付加したコインホルダが提案されている（例えば特許文献１参照）。このコインホルダは、一般的に、硬貨を収容するプラスチック製の容器とキャップで構成される。容器とキャップは、いわゆる弾性ヒンジで嵌め合う構造となっており、必要なときにキャップを強制的に開放して、中の硬貨を取り出す。
【先行技術文献】
【特許文献】
【０００４】
【特許文献１】特開平１０−８５１１８
【考案の概要】
【考案が解決しようとする課題】
【０００５】
しかしながら、従来のコインホルダは、容器とキャップがプラスチックの弾性ヒンジで結合していることから、キャップを開放する際、指先に力を込めないと開放が困難となる。とりわけ、お年寄りのように、手先の力が入りにくい人や、弾性ヒンジを開放する力点を見分けるのが困難な人の場合は、使い勝手が著しく悪いという問題があった。
【０００６】
本考案は、斯かる実情に鑑みてなされたものであり、安全で且つ使い勝手の良いコインホルダを提供しようとするものである。
【課題を解決するための手段】
【０００７】
上記目的を達成する本考案は、樹脂の射出成型によって一体的に形成されて、硬貨を保持可能なコインホルダであって、前記硬貨を収容する為の収容空間を内部に有し、前記樹脂によって弾性変形となっている外装部と、前記外装部の一部に形成されて前記収容空間と連続し、前記硬貨を出し入れするための挿入用スリットと、を備えることを特徴とするコインホルダである。
【０００８】
上記コインホルダは、前記挿入用スリットの近傍に、前記収容空間に収容される前記硬貨に対して、取り出し方向に係合する段部が形成されることを特徴とする。
【０００９】
上記コインホルダの前記段部は、前記挿入用スリットの長手方向に沿って形成されることを特徴とする。
【００１０】
上記コインホルダの前記段部は、前記収容空間内に収容される前記硬貨の周縁形状に近似する部分円弧形状に延びることを特徴とする。
【００１１】
上記コインホルダは、前記挿入用スリットの最小間隔が、前記硬貨の厚みと比較して小さいことを特徴とする。
【００１２】
上記コインホルダは、前記樹脂が、蓄光材料を含有する軟質樹脂であることを特徴とする。
【考案の効果】
【００１３】
本考案によれば、硬貨の取り出しが容易となる一方、確実に硬貨を保持できるという優れた効果を奏し得る。
【図面の簡単な説明】
【００１４】
【図１】本考案の実施形態に係るコインホルダの（Ａ）正面図、（Ｂ）右側面図、（Ｃ）底面図である。
【図２】本考案の実施形態に係るコインホルダの（Ａ）正面断面図、（Ｂ）正面断面図におけるＢ−Ｂ矢視断面図、（Ｃ）正面断面図におけるＣ−Ｃ矢視断面図である。
【図３】本考案の実施形態に係るコインホルダの使用態様を示す図である。
【図４】本考案の実施形態に係るコインホルダの他の例を示す図である。
【図５】本考案の実施形態に係るコインホルダの他の例を示す図である。
【考案を実施するための形態】
【００１５】
以下、本考案の実施の形態に係るコインホルダについて、図１〜図３を参照して説明する。
【００１６】
本実施形態に係るコインホルダ１は、樹脂の射出成型によって一体的に形成されて、５００円硬貨５０を１枚だけ保持可能となっている。
【００１７】
このコインホルダ１は、樹脂によって弾性変形可能な袋状の外装部１０と、この外装部１０の内部に形成されて硬貨５０を収容する為の収容空間１２と、この外装部１０に形成される挿入用スリット２０と、外装部１０を貫通するように形成される通し孔３０を備える。
【００１８】
射出成型で用いる樹脂材料は、蓄光材料（蓄光顔料）が混合された軟質樹脂を採用している。この軟質樹脂の硬度は例えば６５度に設定される。従って、このコインホルダ１の全体は、弾性変形可能な状態となっている。
【００１９】
外装部１０の外観は様々な形状を選択できるが、本実施形態では二枚貝の外観を摸した形状となっている。貝殻の開口に対応する部分には挿入用スリット２０が形成され、二枚貝の付け根に対応する部分には通し孔３０が形成されている。なお、このコインホルダ１を１枚〜数枚の硬貨を保持させる場合、外装部１０の外形は、本実施形態と同様に円盤形状に近似させることが好ましい。外装部１０の外径と、内部に収容される硬貨５０の外形に近似させることで、全体をコンパクトにすることができる。
【００２０】
なお、挿通孔１０は、特に図示しなしストラップ、鎖、リング等が挿入される。このストラップ等を利用して、鍵、携帯電話、鞄など、様々な場所に、このコインホルダ１が取り付けられる。
【００２１】
外装部１０の内部に形成される収容空間１２は、硬貨５０よりも一回り大きい円盤形状の空間となっている。即ち、この円盤形状の収容空間１２の内径Ｄ１は、硬貨５０の直径Ｄ２（約２６．５ｍｍ）よりも大きく設定され、ここでは３２ｍｍ程度となる。同様に、収容空間１２の高さＨ１は、硬貨５０の厚みＨ２（約１．８ｍｍ）よりも大きく設定され、ここでは２ｍｍ程度となる。
【００２２】
外装部１０の外表面の一部に形成される挿入用スリット２０は、収容空間１２と連続する溝状の開口となる。この挿入用スリット２０を利用して、収容空間２０に対して硬貨５０が出し入れされる。なお、この挿入用スリット２０を側面側から視た場合、外装部５０の周縁に沿って部分円弧形状に形成される。
【００２３】
挿入用スリット２０の最小間隔Ｓ１は、硬貨５０の厚みＨ２と比較して小さく設定されており、具体的には０．３ｍｍ程度となっている。なお、この挿入用スリット２０の長手方向の長さＷは、硬貨５０の直径Ｄ２よりも多少大きく設定されており、具体的には３０ｍｍ程度となっている。
【００２４】
更に、この挿入用スリット２０の長さＷは、収容空間１２の内径Ｄ１より小さく設定され、更に、挿入用スリット２０の最大間隔Ｓ２は、収容空間１２の高さＨ１より小さく設定される。
【００２５】
また、この挿入用スリット２０の最小、最大隙間Ｓ１、Ｓ２は、硬貨５０の厚み及び収容空間１２の高さの双方よりも小さく設定されている。一旦、収容空間１２内に硬貨５０を収容すると、後述する段部２４によって、その後は自然落下しないようになっている。従って、この挿入用スリット２０から５００円の硬貨５０を出し入れする際は、挿入用スリット２０の間隔（幅）を強制的に広げる。
【００２６】
挿入用スリット２０における収容空間１２側には、一対の段部２４が形成される。この段部２４は、挿入用スリット２０の長手方向に沿って、挿入用スリット２０の両側に形成される。更にこの段部２４の段差は、高さＨ１となる収容空間１２と、この高さＨ１と比較して小さい最大間隔Ｓ２となる挿入用スリット２０の段差で構成される。既に述べたように、挿入用スリット２０の隙間は、硬貨５０の厚みよりも小さく設定されていることから、この一対の段差５０によって、収容空間１２に収容される硬貨５０が、取り出し方向（落下方向）に引っ掛かる。
【００２７】
また、収容空間１２は円盤形状の空間となっていることから、挿入用スリット２０との境界に形成される段部２４は、収容空間１２の縁の部分円弧に沿って広がることになる。このように、段部２４を部分円弧に形成することで、この段部２４は、収容空間１２内に配置される硬貨５０の周縁と広範囲に係合する。従って、小さい段差であっても、この段部２４は硬貨５０の自然落下を確実に防止できる。
【００２８】
収容空間１２に収容される硬貨５０を取り出す際は、図３に示されるように、挿入用スリット２０の長手方向の両脇を、内側に向かって手で押圧する。このコインホルダ１は、軟質樹脂で形成されているので、上記押圧によって外装部１０が変形して挿入用スリット２０の間隔が広がる。この状態で、他方の指先を利用して内部の硬貨５０を抜き出す。
【００２９】
なお、このコインホルダ１を製造する際は、外装部１０の外径と一致する枠体の内部に、収容空間１２及び挿入用スリット２０の空間と一致するコア部材を挿入した金型を用いて、いわゆる無理抜き成型を行う。
【００３０】
以上、本実施形態のコインホルダ１によれば、外装部１０が弾性変形可能となっており、挿入用スリット２０を変形させながら、収容空間１２に硬貨５０を保持できる。従って、年配者を含めた誰であっても、極めて簡単に硬貨５０の出し入れが可能となる。
【００３１】
更にこのコインホルダ１によれば、この挿入用スリット２０の近傍に段部２４が形成されている。この段部２４に対して、収容空間１２に保持される硬貨５０が取り出し方向に引っ掛かるので、硬貨５０が自然落下することを防止できる。また、この段部２４が挿入用スリット２０の長手方向に沿って形成されるので、硬貨５０との係合をより確実にすることが可能となる。特に本実施形態では、挿入用スリット２０も、収容空間１２内に収容される硬貨５０の周縁に近似する部分円弧形状となっている。結果、挿入用スリット２０の中央が、いわゆる財布のがま口のように突出するので、硬貨５０の出し入れが容易になる。また、段部２４の部分円弧形状となるので、硬貨５０の係合（接触）面積が更に広がる。
【００３２】
更に本実施形態のコインホルダ１では、挿入用スリット２０の最小間隔が、硬貨５０の厚みと比較して小さい。このようにすると、挿入用スリット２０自体も、内部の硬貨５０の脱落を防止するので、より確実に硬貨５０を保持することが可能となる。
【００３３】
更にこのコインホルダ１は、樹脂が蓄光材料を含有している。従って、暗闇の中でコインホルダ１を発光させることができるので、容易に見つけ出すことができる。
【００３４】
なお本実施形態では、挿入用スリット２０と収容空間１２に段差を設け、それを段部２４をとして利用する場合を例示したが、本考案はこれに限定されない。例えば図４に示されるように、挿入用スリット２０と収容空間１２の境界は段差を零にしながらも、挿入用スリット２０近傍に部分的な突起を形成し、この突起を段部２４とすることも可能である。この突起によって挿入用スリット２０の通過路の寸法を硬貨５０よりも小さくすることで、コイン５０の自然落下を防止できる。また、図５に示されるように、挿入用スリット２０のスリットの長さＷを、硬貨５０の直径よりも多少小さく設定することも好ましい。このようにすると、挿入用スリット２０の両端が段部２４となり、内部の硬貨５０に対して取り出し方向に係合する。
【００３５】
尚、本考案のコインホルダは、上記した実施の形態に限定されるものではなく、本考案の要旨を逸脱しない範囲内において種々変更を加え得ることは勿論である。
【産業上の利用可能性】
【００３６】
本考案のコインホルダによれば、様々な硬貨を保持することが可能となる。
【符号の説明】
【００３７】
１      コインホルダ
１０    外装部
１２    収容空間
２０    挿入用スリット
２４    段部
５０    硬貨
【図１】
0003168821.tif 000003
【図２】
0003168821.tif 000004
【図３】
0003168821.tif 000005
【図４】
0003168821.tif 000006
【図５】
0003168821.tif 000007